(57)【要約】【課題】平臥した時の姿勢を良好に保ちつつ、体圧を良好に分散させる。【解決手段】マットレス１の上面１０には、第１端部領域１１、第１中間領域１８、中央領域１４、第２中間領域１９、及び、第２端部領域１７を含む複数の上面領域が設けられている。これらの上面領域は、縦方向に隣接して並んでいる。中央領域１４は、縦方向の中央に位置し、第１及び第２端部領域１１、１７は、それぞれ、縦方向の両端に位置する。ここで、それぞれの上面領域における、底面２０からのマットレス１の厚さ方向の距離を、底面距離とする。第１及び第２中間領域１８、１９は、それぞれ、第１及び第２端部領域１１、１７、並びに、中央領域１４に比べ、底面距離が長く、反発力が低い。【選択図】図３
2019000522.tif 000002
【特許請求の範囲】
【請求項１】
縦方向と、前記縦方向に直交する横方向とに広がる平面状の底面、及び、前記底面に対面する上面を有する板状のマットレスであって、
前記上面に、前記横方向に延びる上面領域が、前記縦方向に並んだ状態で複数設けられており、
複数の前記上面領域として、第１端部領域、第１中間領域、中央領域、第２中間領域、及び、第２端部領域が少なくとも設けられており、これらの上面領域は、前記第１端部領域、前記第１中間領域、前記中央領域、前記第２中間領域、前記第２端部領域の順に、前記縦方向に隣接して並んでおり、前記中央領域は、前記上面における前記縦方向の中央に位置し、前記第１及び第２端部領域は、それぞれ、前記上面における前記縦方向の両端に位置し、
それぞれの前記上面領域における、前記底面からの前記マットレスの厚さ方向の距離を、底面距離とし、
前記第１及び第２中間領域は、それぞれ、前記第１及び第２端部領域、並びに、前記中央領域に比べ、前記底面距離が長く、反発力が低い
マットレス。
【請求項２】
請求項１に記載されたマットレスにおいて、
前記第１中間領域は、前記横方向に延び、前記縦方向に隣接して並ぶ前記上面領域である端部側第１中間領域及び中央側第１中間領域を有し、
前記端部側第１中間領域は、前記中央側第１中間領域よりも前記第１端部領域側に位置し、
前記第２中間領域は、前記横方向に延び、前記縦方向に隣接して並ぶ前記上面領域である端部側第２中間領域及び中央側第２中間領域を有し、
前記端部側第２中間領域は、前記中央側第２中間領域よりも前記第２端部領域側に位置し、
前記端部側第１中間領域は、前記中央側第１中間領域よりも、前記底面距離が長く、前記反発力が低く、
前記端部側第２中間領域は、前記中央側第２中間領域よりも、前記底面距離が長く、前記反発力が低い
マットレス。
【請求項３】
請求項１又は請求項２に記載されたマットレスにおいて、
それぞれの前記上面領域は、該上面領域の全域にわたって、前記厚さ方向に突出し、前記底面から頂部までの前記厚さ方向の距離が同一又は略同一である複数の突出部が設けられており、それぞれの前記上面領域における前記反発力は、該上面領域に形成された前記突出部の形状により定められ、
それぞれの前記上面領域の前記底面距離とは、該上面領域に設けられた前記突出部の頂部と前記底面との間の前記厚さ方向の距離である
マットレス。
【請求項４】
請求項３に記載のマットレスにおいて、
前記マットレスは、反発弾性率が３０％以上である一塊のウレタンにより構成されている
マットレス。
【発明の詳細な説明】
【技術分野】
【０００１】
本開示は、マットレスに関する。
【背景技術】
【０００２】
特許文献１に記載されたマットレスは、上面における長手方向の中央に位置する領域が、上面における他の領域よりも硬くなっている。このため、ユーザは、臀部及び胸部が他の領域よりも硬い中央の領域で支持された状態で、該マットレスの上に平臥することができる。その結果、これらの部位がマットレスに深く沈み込むのが抑制され、ユーザの背骨への負担が軽減される。
【先行技術文献】
【特許文献】
【０００３】
【特許文献１】特開２０００−９３２６３号公報
【発明の概要】
【発明が解決しようとする課題】
【０００４】
しかしながら、人間の背骨は所謂生理的湾曲を有しており、また、人間の体は、臀部等が突出するように湾曲している。これに対し、特許文献１のマットレスの上面は、平面となっている。このため、ユーザが該マットレスの上に平臥した際、ユーザが不自然な姿勢になったり、例えばユーザの臀部等において、マットレスから受ける圧力（以後、体圧）が局所的に増加したりする恐れがある。
【０００５】
本開示は上記課題に鑑みてなされたものであり、平臥した時の姿勢を良好に保ちつつ、体圧を良好に分散させることを目的とする。
【課題を解決するための手段】
【０００６】
本開示に係る板状のマットレスは、縦方向と、縦方向に直交する横方向とに広がる平面状の底面、及び、底面に対面する上面を有する。上面には、横方向に延びる上面領域が、縦方向に並んだ状態で複数設けられている。そして、複数の上面領域として、第１端部領域、第１中間領域、中央領域、第２中間領域、及び、第２端部領域が少なくとも設けられている。これらの上面領域は、第１端部領域、第１中間領域、中央領域、第２中間領域、第２端部領域の順に、縦方向に隣接して並んでいる。中央領域は、上面における縦方向の中央に位置し、第１及び第２端部領域は、それぞれ、上面における縦方向の両端に位置する。ここで、それぞれの上面領域における、底面からの前記マットレスの厚さ方向の距離を、底面距離とする。第１及び第２中間領域は、それぞれ、第１及び第２端部領域、並びに、中央領域に比べ、底面距離が長く、反発力が低い。
【０００７】
このような構成によれば、マットレスを配置した際、第１端部領域から第２端部領域にかけてマットレスの上面に生じる高低差は、人間の背骨の生理的湾曲や、人間の体の湾曲に応じたものとなる。そして、ユーザは、臀部が中央領域に位置するように、マットレスの上面に平臥できる。この時、ユーザは、例えば、頭部等が第１端部領域に位置し、腰、肩等が第１中間領域に位置し、膝、脹脛等が第２中間領域に位置し、足首からつま先の部分等が第２端部領域に位置する状態になることができる。このような状態でマットレスの上面に平臥することで、マットレスの上面の高低差が、ユーザの背骨の生理的湾曲や、ユーザの体の湾曲にフィットする。このため、ユーザは、より楽な姿勢で平臥することが可能となる。
【０００８】
また、臀部は人間の体の中で最も重く、人間の体は臀部が突出するように湾曲している。これに対し、臀部が位置する中央領域は、第１及び第２中間領域に比べて低い位置にあり、反発力が高く（換言すれば、硬く）なっている。このため、臀部等がマットレスに過度に沈み込むのが抑制され、ユーザは、より楽な姿勢で平臥することが可能となる。また、臀部等において体圧が局所的に増加するのを抑制でき、体圧分散性を向上できる。
【０００９】
また、膝等が位置する第２中間領域は、中央領域及び第２端部領域に比べて高い位置にあり、高くて反発力が低く（換言すれば、柔らかく）なっている。このため、ユーザは、膝を少し曲げた状態で平臥することができ、膝への負担を軽減できる。
【００１０】
したがって、平臥した時の姿勢を良好に保ちつつ、体圧を良好に分散させることが可能となる。また、これにより、睡眠中に寝返りをし易くなり、睡眠の質を向上させることが可能となる。
【００１１】
また、第１中間領域は、横方向に延び、縦方向に隣接して並ぶ上面領域である端部側第１中間領域及び中央側第１中間領域を有しても良い。そして、端部側第１中間領域は、中央側第１中間領域よりも第１端部領域側に位置しても良い。また、第２中間領域は、横方向に延び、縦方向に隣接して並ぶ上面領域である端部側第２中間領域及び中央側第２中間領域を有しても良い。そして、端部側第２中間領域は、中央側第２中間領域よりも第２端部領域側に位置しても良い。さらに、端部側第１中間領域は、中央側第１中間領域よりも、底面距離が長く、反発力が低く、端部側第２中間領域は、中央側第２中間領域よりも、底面距離が長く、反発力が低くても良い。
【００１２】
このような構成によれば、臀部が中央領域に位置するようにユーザがマットレスの上面に平臥した際、ユーザは、腰が中央側第１中間領域に位置し、肩、首等が端部側第１中間領域に位置する状態になることができる。
【００１３】
腰は、肩、首等に比べて重い。これに対し、腰が位置する中央側第１中間領域は、肩、首等が位置する端部側第１中間領域に比べて低い位置にあり、反発力が高くなっている。このため、腰がマットレスに過度に沈み込むのを抑制でき、ユーザは、より楽な姿勢で平臥することが可能となる。
【００１４】
また、端部側第２中間領域から中央領域に向かうに従い、マットレスの上面の位置が段階的に低くなる。このため、端部側第２中間領域から中央領域にかけてのマットレスの上面の高低差は、より一層、人間の体の湾曲に応じたものとなる。このため、ユーザは、より楽な姿勢でマットレスの上面に平臥することが可能となる。
【００１５】
また、それぞれの上面領域は、該上面領域の全域にわたって、厚さ方向に突出し、底面から頂部までの厚さ方向の距離が同一又は略同一である複数の突出部が設けられていても良い。そして、それぞれの上面領域における反発力は、該上面領域に形成された突出部の形状により定められても良い。さらに、それぞれの上面領域の底面距離とは、該上面領域に設けられた突出部の頂部と底面との間の前記厚さ方向の距離であっても良い。
【００１６】
このような構成によれば、複数の材料を用いて各上面領域の反発力を調整するのを回避できる。このため、マットレスの製造コストを抑制可能となる。また、マットレスの上面における通気性が向上する。
【００１７】
また、マットレスは、反発弾性率が３０％以上である一塊のウレタンにより構成されていても良い。
このような構成によれば、マットレスの製造コストを抑制可能となる。
【図面の簡単な説明】
【００１８】
【図１】第１実施形態のマットレスの斜視図である。
【図２】第１実施形態のマットレスの上面図である。
【図３】図２におけるIII-III断面図である。
【図４】第１実施形態のマットレスの中央領域における突出部の頂部の断面図である。
【発明を実施するための形態】
【００１９】
以下、本開示の実施形態について図面を用いて説明する。なお、本開示の実施の形態は、下記の実施形態に何ら限定されることはなく、本開示の技術的範囲に属する限り種々の形態を採りうる。
【００２０】
［第１実施形態］
［構成の説明］
図１に示す第１実施形態のマットレス１は、板状であり、主に寝具として用いられる。具体的には、マットレス１は、例えば、敷布団の下に敷かれても良いし、ベッドの上に敷かれても良い。マットレス１は、上面１０と底面２０とを有する。図２に示すように、ユーザ２は、マットレス１の上面１０の上に平臥することができる。底面２０は、平面状であり、縦方向１ａと、縦方向１ａに直交する横方向１ｂとに広がる。また、上面１０は、底面２０に対面し、縦方向１ａと横方向１ｂとに広がる。なお、第１実施形態では、上面１０及び底面２０は、一例として矩形となっている。
【００２１】
上面１０には、複数の上面領域が設けられている。第１実施形態では、一例として、上面領域として、第１端部領域１１、第１中間領域１８、中央領域１４、第２中間領域１９、及び、第２端部領域１７が少なくとも設けられている。これらは、第１端部領域１１、第１中間領域１８、中央領域１４、第２中間領域１９、第２端部領域１７という順に、縦方向１ａに並ぶ。また、これらの上面領域の各々は、隣に位置する他の上面領域と隣接している。また、中央領域１４は、上面１０における縦方向１ａの中央に位置する。また、第１及び第２端部領域１１、１７は、それぞれ、上面１０における縦方向１ａの両端に位置する。
【００２２】
さらに、第１中間領域１８は、横方向１ｂに延び、縦方向１ａに隣接して並ぶ上面領域である端部側第１中間領域１２及び中央側第１中間領域１３を有する。なお、端部側第１中間領域１２は、中央側第１中間領域１３よりも第１端部領域１１側に位置する。また、第２中間領域１９は、横方向１ｂに延び、縦方向１ａに隣接して並ぶ上面領域である端部側第２中間領域１６及び中央側第２中間領域１５を有する。なお、端部側第２中間領域１６は、中央側第２中間領域１５よりも第２端部領域１７側に位置する。
【００２３】
第１実施形態では、一例として、各上面領域１１〜１９は、上面１０における横方向１ｂの一端から他端にわたって横方向１ｂに延びる。また、各上面領域１１〜１９は、一例として帯状（換言すれば、矩形）の領域となっている。しかし、これに限らず、各上面領域１１〜１９は、矩形以外の細長い形状であっても良い。また、一例として、各上面領域１１〜１９は、図２に示すように、上面１０における縦方向１ａの中央を横方向１ｂに横切る中心線を中心に、線対称となるように配置されている。
【００２４】
また、上面領域における縦方向１ａの長さを、幅とする。一例として、中央領域１４の幅は、上面１０における縦方向１ａの長さ（以後、全長）の１７％以上２３％以下であっても良い。より好適には、中央領域１４の幅は、全長の２０％、又は、略２０％であっても良い。また、第１及び第２中間領域１８、１９の各々の幅は、全長の２８％以上３４％以下であっても良い。より好適には、第１及び第２中間領域１８、１９の各々の幅は、全長の３１％、又は、略３１％であっても良い。
【００２５】
そして、第１端部領域１１、端部側第１中間領域１２、中央側第１中間領域１３、中央領域１４、中央側第２中間領域１５、端部側第２中間領域１６、及び、第２端部領域１７は、それぞれ、均一又は略均一の反発力（換言すれば、硬さ）を有する。換言すれば、これらの上面領域１１〜１７の各々は、均一又は略均一の弾力性を有する。第１実施形態では、一例として、各上面領域１１〜１７の全域にわたって凹凸が設けられている。各上面領域は、該上面領域における凹凸の形状により、該上面領域全体としての反発力が調整されている。換言すれば、各上面領域は、該上面領域における該凹凸をなす２以上の突出部を含む領域の反発力が、予め定められた大きさに調整されている。
【００２６】
具体的には、図３に示すように、各上面領域１１〜１７には、該上面領域の全域にわたって、複数の突出部１１ａ〜１７ａが設けられている。各突出部は、厚さ方向１ｃに突出する。なお、突出部は、例えば、柱状であっても良いし、リブ状であっても良い。また、各上面領域１１〜１７において、各突出部は、その形状が同一又は略同一となっていても良い。
【００２７】
ここで、上面領域と底面２０との間のマットレス１の厚さ方向１ｃの距離を、底面距離とする。第１実施形態では、一例として、底面２０と突出部の頂部との間の厚さ方向１ｃの距離が、底面距離となる。各上面領域１１〜１７は、底面距離が均一又は略均一となっている。換言すれば、各上面領域１１〜１７において、該上面領域における複数の突出部は、底面２０からその頂部までの厚さ方向１ｃの距離が、同一又は略同一となっている。なお、図４は、一例として、中央領域１４における底面距離１４ｂを示している。
【００２８】
そして、上述したように、各上面領域１１〜１７の反発力は、該上面領域に設けられた各突出部の形状により定められる。具体的には、例えば、上面領域１１〜１７の各突出部が、同一の弾性材料により構成されている場合、各突出部の根元から頂部までの距離（以後、突出距離）が短くなるに従い、該上面領域の反発力が高く（換言すれば、硬く）なる。一方、各上面領域の各突出部の突出距離が長くなるに従い、該上面領域の反発力が低く（換言すれば、柔らかく）なる。このため、各突出部の突出距離を変えることで、上面領域全体としての反発力が調整されていても良い。
【００２９】
また、同様の場合において、例えば、上面領域の各突出部におけるその突出方向に直交する断面の面積が大きくなるに従い、該上面領域の反発力が高くなる。また、例えば、上面領域の各突出部がリブ状である場合には、各突出部の幅が広くなるに従い、該上面領域の反発力が高くなる。このため、各突出部の断面の面積や幅を変えることで、上面領域全体としての反発力が調整されていても良い。
【００３０】
そして、第１実施形態では、一例として、マットレス１は、一塊のウレタンにより構成されている。具体的には、マットレス１における上面１０に設けられた各突出部と、各突出部以外の部位とは、一つに繋がった単一のウレタンの塊となっている。これらの突出部は、例えば、板状のウレタンの一方の面をカットすることで形成されたものであっても良い。換言すれば、上面１０における各上面領域の反発力は、反発弾性率の異なる複数の材料を用いること無く、単一の材料（一例として、ウレタン）の形状により調整されている。
【００３１】
また、マットレス１を構成するウレタンは、高反発ウレタンであっても良い。具体的には、高反発ウレタンとは、例えば、反発弾性率が、３０％以上、３５％以上、又は、４５％以上のうちのいずれかであるウレタンであっても良い。
【００３２】
そして、各上面領域１１〜１７における反発力は、次のような大小関係を有している。すなわち、第１及び第２中間領域１８、１９は、それぞれ、中央領域１４、並びに、第１及び第２端部領域１１、１７に比べ、反発力が低い（換言すれば、柔らかい）。また、中央領域１４は、第１及び第２端部領域１１、１７に比べ、反発力が高い（換言すれば、硬い）。また、第１端部領域１１と第２端部領域１７とにおける反発力は、同一、又は、略同一である。
【００３３】
つまり、中央領域１４、第１及び第２中間領域１８、１９は、並びに、第１及び第２端部領域１１、１７の反発力の大小関係は、中央領域１４  ＞  第１及び第２端部領域１１、１７  ＞  第１及び第２中間領域１８、１９となる。
【００３４】
なお、中央領域１４の反発力は、第１及び第２端部領域１１、１７よりも低くても良い。つまり、反発力の大小関係は、第１及び第２端部領域１１、１７  ＞  中央領域１４  ＞  第１及び第２中間領域１８、１９となっていても良い。
【００３５】
さらに、各上面領域１１〜１７における反発力は、次のような大小関係を有している。すなわち、第１中間領域１８においては、端部側第１中間領域１２は、中央側第１中間領域１３よりも、反発力が低い。また、第２中間領域１９においては、端部側第２中間領域１６は、中央側第２中間領域１５よりも、反発力が低い。また、端部側第１中間領域１２と端部側第２中間領域１６とにおける反発力は、同一、又は、略同一である。また、中央側第１中間領域１３と中央側第２中間領域１５とにおける反発力は、同一、又は、略同一である。つまり、上面領域１１〜１７の反発力の大小関係は、中央領域１４  ＞  第１及び第２端部領域１１、１７  ＞  中央側第１中間領域１３、中央側第２中間領域１５  ＞  端部側第１中間領域１２、端部側第２中間領域１６となる。
【００３６】
なお、第１中間領域１８においては、端部側第１中間領域１２は、中央側第１中間領域１３よりも、反発力が高くても良い。また、第２中間領域１９においては、端部側第２中間領域１６は、中央側第２中間領域１５よりも、反発力が高くても良い。
【００３７】
また、各上面領域は、該上面領域の反発力が大きくなるに従い底面距離が小さくなる。換言すれば、各上面領域は、該上面領域の反発力が大きくなるに従い、マットレス１が配置された際の位置が低くなる。
【００３８】
このため、各上面領域１１、１４、１７〜１９における底面距離は、次のような大小関係を有している。すなわち、第１及び第２中間領域１８、１９は、中央領域１４、並びに、第１及び第２端部領域１１、１７に比べ、底面距離が長い。また、中央領域１４は、第１及び第２端部領域１１、１７に比べ、底面距離が短い。また、第１端部領域１１と第２端部領域１７とにおける底面距離は、同一、又は、略同一である。
【００３９】
つまり、中央領域１４、第１及び第２中間領域１８、１９は、並びに、第１及び第２端部領域１１、１７の底面距離の大小関係は、中央領域１４  ＜  第１及び第２端部領域１１、１７  ＜  第１及び第２中間領域１８、１９となる。
【００４０】
なお、中央領域１４の底面距離は、第１及び第２端部領域１１、１７よりも長くても良い。つまり、底面距離の大小関係は、第１及び第２端部領域１１、１７  ＜  中央領域１４  ＜  第１及び第２中間領域１８、１９となっていても良い。
【００４１】
さらに、各上面領域１１〜１７における底面距離は、次のような大小関係を有している。すなわち、第１中間領域１８においては、端部側第１中間領域１２は、中央側第１中間領域１３よりも、底面距離が長い。また、第２中間領域１９においては、端部側第２中間領域１６は、中央側第２中間領域１５よりも、底面距離が長い。また、端部側第１中間領域１２と端部側第２中間領域１６とにおける底面距離は、同一、又は、略同一である。また、中央側第１中間領域１３と中央側第２中間領域１５とにおける底面距離は、同一、又は、略同一である。つまり、上面領域１１〜１７の底面距離の大小関係は、中央領域１４  ＜  第１及び第２端部領域１１、１７  ＜  中央側第１中間領域１３、中央側第２中間領域１５  ＜  端部側第１中間領域１２、端部側第２中間領域１６となる。
【００４２】
なお、第１中間領域１８においては、端部側第１中間領域１２は、中央側第１中間領域１３よりも底面距離が短くても良い。また、第２中間領域１９においては、端部側第２中間領域１６は、中央側第２中間領域１５よりも底面距離が短くても良い。
【００４３】
また、各上面領域１１〜１７の底面距離のうち、最も長い底面距離を、最長底面距離とし、最も短い底面距離を、最短底面距離とする。最長底面距離と最短底面距離との差分は、一例として、１．０ｃｍ以上１．５ｃｍ以下であっても良い。また、該差分は、一例として、最長底面距離の１７％以上２３％以下であっても良い。より詳しくは、該差分は、一例として、最長底面距離の２０％、又は、略２０％であってもよい。
【００４４】
［第２実施形態］
第２実施形態は、基本的な構成は第１実施形態と同様であるため、相違点について以下に説明する。なお、第１実施形態と同じ符号は、同一の構成を示すものであって、先行する説明を参照する。
【００４５】
第１実施形態では、各上面領域１１〜１７は、全域にわたって形成された凹凸の形状により、該上面領域の反発力が定められる。これに対し、第２実施形態では、各上面領域１１〜１７は、平面状に形成されている。そして、反発弾性率の異なる複数の材料を用いることで、各上面領域の反発力が調整されている。具体的には、例えば、マットレス１における上面領域を含む部分、及び／又は、マットレス１内部の上面領域の下側の部分を、所定の反発弾性率を有する１又は複数の材料で構成することで、反発力が調整されても良い。
【００４６】
また、第２実施形態においても、各上面領域と底面２０との間の厚さ方向１ｃの距離が、底面距離となる。そして、第１実施形態と同様にして、各上面領域の反発力及び底面距離が定められる。
【００４７】
［効果］
上記実施形態によれば、マットレス１を配置した際、第１端部領域１１から第２端部領域１７にかけて上面１０に生じる高低差は、人間の背骨の生理的湾曲や、人間の体の湾曲に応じたものとなる。そして、ユーザは、臀部が中央領域１４に位置するように、マットレス１の上面１０に平臥できる。この時、ユーザは、例えば、頭部等が第１端部領域１１に位置し、腰、肩等が第１中間領域１８に位置し、膝、脹脛等が第２中間領域１９に位置し、足首からつま先の部分等が第２端部領域１７に位置する状態になることができる。このような状態で上面１０に平臥することで、上面１０の高低差が、ユーザの背骨の生理的湾曲や、ユーザの体の湾曲にフィットする。このため、ユーザは、より楽な姿勢で平臥することが可能となる。
【００４８】
また、臀部は人間の体の中で最も重く、人間の体は臀部が突出するように湾曲している。これに対し、臀部が位置する中央領域１４は、第１及び第２中間領域１８、１９に比べて低い位置にあり、反発力が高く（換言すれば、硬く）なっている。このため、臀部等がマットレス１に過度に沈み込むのが抑制され、ユーザは、より楽な姿勢で平臥することが可能となる。また、臀部等において体圧が局所的に増加するのを抑制でき、体圧分散性を向上できる。
【００４９】
また、膝等が位置する第２中間領域１９は、中央領域１４及び第２端部領域１７に比べて高い位置にあり、高くて反発力が低く（換言すれば、柔らかく）なっている。このため、ユーザは、膝を少し曲げた状態で平臥することができ、膝への負担を軽減できる。
【００５０】
したがって、平臥した時の姿勢を良好に保ちつつ、体圧を良好に分散させることが可能となる。また、これにより、睡眠中に寝返りをし易くなり、睡眠の質を向上させることが可能となる。
【００５１】
また、上記実施形態のマットレス１では、各上面領域１１〜１９は、上面１０における縦方向１ａの中央を横方向１ｂに横切る中心線を中心に、線対称となるように配置されている。このため、マットレス１の使用時に、マットレス１の縦方向の向きを考慮する必要が無く、使い勝手を向上できる。また、使用によりマットレス１が劣化した場合であっても、マットレス１の縦方向の向きを変えて使用することで、劣化前と同様に使用できる。このため、マットレス１を長期にわたって良好に使用できる。
【００５２】
［他の実施形態］
（１）上記実施形態では、各上面領域１１〜１９は、マットレス１の上面１０における横方向１ｂの端部に達している。しかしながら、各上面領域は、横方向１ｂの端部まで達していなくても良い。また、上面１０には、上面領域１１〜１９以外の領域が設けられていても良い。
【００５３】
（２）第１実施形態のマットレス１は、反発弾性率が３０％以上のウレタンにより構成されている。しかしながら、マットレス１は、反発弾性率が３０％未満のウレタンにより構成されていても良い。また、マットレス１は、ウレタン以外の弾性材料から構成されていても良い。また、マットレス１は、上面１０凹凸と、マットレス１を構成する材料とにより、各上面領域の反発力が調整されていても良い。
【００５４】
（３）上記実施形態において、第１、第２中間領域１８、１９は、それぞれ、２つの上面領域を含んでいる。しかしながら、第１、第２中間領域１８、１９の双方又は一方は、均一又は略均一の反発力及び底面距離を有する単一の上面領域として構成されていても良い。
【符号の説明】
【００５５】
１…マットレス、２…ユーザ、１０…上面、１１…第１端部領域、１２…端部側第１中間領域、１３…中央側第１中間領域、１４…中央領域、１５…中央側第２中間領域、１６…端部側第２中間領域、１７…第２端部領域、１１ａ〜１７ａ…突出部、１８…第１中間領域、１９…第２中間領域、２０…底面。
【図１】
2019000522.tif 000003
【図２】
2019000522.tif 000004
【図３】
2019000522.tif 000005
【図４】
2019000522.tif 000006